(57)【要約】【課題】電気泳動表示装置における表示部の焼き付きを防止する。【解決手段】電気泳動表示装置（１）は、互いに対向する画素電極（２１）及び共通電極（２２）間に電気泳動粒子を含む電気泳動素子（２３）が夫々設けられた複数の画素（２０）からなる表示部（３）と、画像データに基づいて、画素電極及び共通電極間に駆動電圧を印加することにより、表示部に画像データに対応する画像を表示する駆動部とを備える。駆動部は、表示部に表示される画像を第１画像から第２画像へ書き換える書換期間において、第１画像が表示されている期間に第１階調であった領域である第１領域（ｂ）のうち、第１画像が表示されている期間に第２階調であった領域である第２領域（ａ）に隣接すると共に第２領域を囲む領域である第３領域（ｃ）と、第２領域とに夫々対応する画素の画素電極及び共通電極間に、第２領域及び第３領域を第１階調にする駆動電圧を印加する第１期間を設ける。【選択図】図３
2010211033.tif 000002
【特許請求の範囲】
【請求項１】
互いに対向する画素電極及び共通電極間に電気泳動粒子を含む電気泳動素子が夫々設けられた複数の画素からなる表示部と、
画像データに基づいて、前記画素電極及び前記共通電極間に駆動電圧を印加することにより、前記表示部に前記画像データに対応する画像を表示する駆動部と
を備え、
前記駆動部は、前記表示部に表示される画像を第１画像から第２画像へ書き換える書換期間において、前記第１画像が表示されている期間に第１階調であった領域である第１領域のうち、前記第１画像が表示されている期間に第２階調であった領域である第２領域に隣接すると共に前記第２領域を囲む領域である第３領域と、前記第２領域とに夫々対応する画素の画素電極及び共通電極間に、前記第２領域及び前記第３領域を前記第１階調にする駆動電圧を印加する第１期間を設ける
ことを特徴とする電気泳動表示装置。
【請求項２】
前記第３領域は、前記第２領域の縁から前記第２領域の側とは反対側に所定幅だけずれた輪郭線を有していることを特徴とする請求項１に記載の電気泳動表示装置。
【請求項３】
前記所定幅は、一画素の大きさに対応する幅であることを特徴とする請求項２に記載の電気泳動表示装置。
【請求項４】
前記駆動部は、前記第１期間の後に、前記表示部全体を前記第１階調にする第２期間を設けることを特徴とする請求項１乃至３のいずれか一項に記載の電気泳動表示装置。
【請求項５】
前記第２期間では、前記駆動部は、前記表示部の全領域における画素電極及び共通電極間に、前記第１階調にする駆動電圧を印加することを特徴とする請求項４に記載の電気泳動表示装置。
【請求項６】
請求項１乃至５のいずれか一項に記載の電気泳動表示装置を備えることを特徴とする電子機器。
【発明の詳細な説明】
【技術分野】
【０００１】
本発明は、電気泳動表示装置及び、該電気泳動表示装置を備える電子機器の技術分野に関する。
【背景技術】
【０００２】
この種の電気泳動表示装置では、複数の画素によって次のように表示を行う表示部を有する。各画素では、画素スイッチング素子を介してメモリー回路に画像信号を書き込んだ後、書き込まれた画像信号に応じた画素電位により画素電極が駆動され、共通電極との間に電圧が印加される。これによって画素電極及び共通電極間の電気泳動素子を駆動することにより表示を行う。
【０００３】
例えば特許文献１には、表示部に表示される画像を第１画像から第２画像に書き換える際に、第１画像を表示している期間に、例えば白表示であった領域に対応する画素電極及び共通電極間には電圧を印加せず、黒表示であった領域に対応する画素電極及び共通電極間にのみ電圧を印加して、全白表示にする期間を設けた電気泳動表示装置が開示されている。
【先行技術文献】
【特許文献】
【０００４】
【特許文献１】特開２００７−２０６２６７号公報
【発明の概要】
【発明が解決しようとする課題】
【０００５】
しかしながら、上述の背景技術によれば、第１画像から第２画像に書き換える際の反転消去時に、第１画像を表示している期間に白表示であった領域と黒表示であった領域との境界部分の黒粒子が、反転せずに（即ち、白表示とならずに）、境界線の焼き付きが生じる可能性があるという技術的問題点がある。
【０００６】
本発明は、例えば上記問題点に鑑みてなされたものであり、電気泳動表示装置における表示部の焼き付きを防止することができる電気泳動表示装置及び電子機器を提供することを課題とする。
【課題を解決するための手段】
【０００７】
本発明の電気泳動表示装置は、上記課題を解決するために、互いに対向する画素電極及び共通電極間に電気泳動粒子を含む電気泳動素子が夫々設けられた複数の画素からなる表示部と、画像データに基づいて、前記画素電極及び前記共通電極間に駆動電圧を印加することにより、前記表示部に前記画像データに対応する画像を表示する駆動部とを備え、前記駆動部は、前記表示部に表示される画像を第１画像から第２画像へ書き換える書換期間において、前記第１画像が表示されている期間に第１階調であった領域である第１領域のうち、前記第１画像が表示されている期間に第２階調であった領域である第２領域に隣接すると共に前記第２領域を囲む領域である第３領域と、前記第２領域とに夫々対応する画素の画素電極及び共通電極間に、前記第２領域及び前記第３領域を前記第１階調にする駆動電圧を印加する第１期間を設ける。
【０００８】
本発明の電気泳動表示装置によれば、その動作時に、駆動部により、画像データに基づいて、複数の画素の各々における画素電極及び共通電極間に駆動電圧が印加されることによって、画素電極及び共通電極間に設けられた電気泳動素子が駆動されることで（即ち、電気泳動素子に含まれる電気泳動粒子が画素電極及び共通電極間において移動することで）、表示部に画像データに対応する画像が表示される。
【０００９】
駆動部は、表示部に表示される画像を第１画像から第２画像へ書き換える書換期間において、第１画像が表示されている期間に第１階調であった領域である第１領域のうち、第１画像が表示されている期間に第２階調であった領域である第２領域に隣接すると共に第２領域を囲む領域である第３領域と、第２領域とに夫々対応する画素の画素電極及び共通電極間に、第２領域及び第３領域を第１階調にする駆動電圧を印加する第１期間を設ける。
【００１０】
ここで、「第２領域に隣接すると共に第２領域を囲む領域」とは、第２領域の縁と、該第２領域の縁から該第２領域の側とは反対側に大なり小なりずれた輪郭線とによって規定される領域を意味する。
【００１１】
尚、典型的には、第１領域のうち第３領域でない領域に対応する画素の画素電極及び共通電極間には駆動電圧が印加されない。ここで、「駆動電圧が印加されない」とは、第１領域のうち第３領域でない領域に対応する画素の画素電極及び共通電極に、第１領域のうち第３領域でない領域に対応する画素を更新するための駆動電圧を印加しないことを意味する。従って、第１領域のうち第３領域でない領域に対応する画素は、第１階調に維持されている（即ち、第１領域のうち第３領域でない領域に対応する画素の画素電極及び共通電極間には、第１階調となる電圧が保持されている）。
【００１２】
本願発明者の研究によれば、表示部に表示される画像を第１画像から第２画像へ書き換える際の反転消去時に、第２領域（即ち、第１画像が表示されている期間に第２階調であった領域）に対応する画素の画素電極及び共通電極間にのみ第１階調にする駆動電圧を印加して、表示部全体を第１階調にしようとすると、第２領域の端部に対応する画素の画素電極と、第１領域（即ち、第１画像が表示されている期間に第１階調であった領域）の第２領域と隣接する部分に対応する画素の画素電極との電位が相互に異なる。
【００１３】
このため、第２領域の端部に対応する画素の画素電極及び共通電極間だけでなく、第２領域の端部に対応する画素の画素電極と、第１領域の第２領域と隣接する部分に対応する画素の画素電極との間にも電界が生じてしまい、第２領域の端部に対応する画素の少なくとも一部が反転されない（即ち、第１階調にならない）。
【００１４】
特に、第１画像と第２画像とを交互に繰り返し表示するような電気泳動表示装置では、第１画像が表示されている期間に第１階調であった領域と第１画像が表示されている期間に第２階調であった領域との境界部分、或いは、第２画像が表示されている期間に第１階調であった領域と第２画像が表示されている期間に第２階調であった領域との境界部分に、焼き付きが生じるおそれがあることが判明している。
【００１５】
しかるに本発明では、駆動部により、第２領域及び第３領域に夫々対応する画素の画素電極及び共通電極間に、第２領域及び第３領域を第１階調にする駆動電圧が印加される第１期間が設けられている。ここで、第３領域は、第１画像が表示されている期間に第１階調であったので、第３領域の端部と、第１領域のうち該第３領域と隣接する部分との境界部分に第２階調が現れることはない。従って、当該電気泳動表示装置の表示部の焼き付きを防止することができる。
本発明の電気泳動表示装置の一態様では、前記第３領域は、前記第２領域の縁から前記第２領域の側とは反対側に所定幅だけずれた輪郭線を有している。
【００１６】
この態様によれば、反転消去時における消費電力を比較的小さくすることができ、実用上非常に有利である。
【００１７】
本発明に係る「所定幅」は、例えば一画素の大きさに対応する幅等であり、第２領域の端部に対応する画素の画素電極が、第１領域のうち第３領域でない領域に対応する画素の画素電極の影響を受けない幅として設定される。
【００１８】
この態様では、前記所定幅は、一画素の大きさに対応する幅であってよい。
【００１９】
このように構成すれば、第３領域に対応する画素の画素電極及び共通電極間に駆動電圧を印加することによる消費電力を最低限にとどめることができ、実用上非常に有利である。
【００２０】
本発明の電気泳動表示装置の他の態様では、前記駆動部は、前記第１期間の後に、前記表示部全体を前記第１階調にする第２期間を設ける。
【００２１】
この態様によれば、書換期間における過剰な第１階調の表示を緩和することができる。
【００２２】
この態様では、前記第２期間では、前記駆動部は、前記表示部の全領域における画素電極及び共通電極間に、前記第１階調にする駆動電圧を印加してよい。
【００２３】
このように構成すれば、電気泳動粒子が比較的よく攪拌され、残像の低減を図ることができ、実用上非常に有利である。
【００２４】
本発明の電子機器は上記課題を解決するために、上述した本発明の電気泳動表示装置（但し、その各種態様も含む）を備える。
【００２５】
本発明の電子機器によれば、上述した本発明の電気泳動表示装置を具備してなるので、表示部の焼き付きを防止して、高品質の画像を表示可能な、例えば、腕時計、電子ペーパー、電子ノート、携帯電話、携帯用オーディオ機器などの各種電子機器を実現できる。
【００２６】
本発明の作用及び他の利得は次に説明する実施するための形態から明らかにされる。
【図面の簡単な説明】
【００２７】
【図１】第１実施形態に係る電気泳動表示装置の全体構成を示すブロック図である。
【図２】第１実施形態に係る画素の電気的な構成を示す等価回路図である。
【図３】第１実施形態に係る電気泳動表示装置における書換動作を示す図である。
【図４】第１実施形態に係る書換期間において、画素電極及び共通電極に印加される電圧を示すタイミングチャートである。
【図５】第１実施形態に係る電気泳動表示装置の表示部に表示される画像の一例を示す図である。
【図６】第１実施形態の変形例に係る書換期間において、画素電極及び共通電極に印加される電圧を示すタイミングチャートである。
【図７】第２実施形態に係る電気泳動表示装置の全体構成を示すブロック図である。
【図８】第２実施形態に係る画素の電気的な構成を示す等価回路図である。
【図９】第１実施形態の比較例に係る電気泳動表示装置における書換動作を示す図である。
【図１０】第１実施形態の比較例に係る書換期間において、画素電極及び共通電極に印加される電圧を電気力線と共に示す図である。
【図１１】電気泳動表示装置を適用した電子機器の一例としての電子ペーパーの構成を示す斜視図である。
【図１２】電気泳動表示装置を適用した電子機器の他の例としての電子ノートの構成を示す斜視図である。
【発明を実施するための形態】
【００２８】
以下図面を参照しながら、本発明に係る電気泳動表示装置、及び該電気泳動表示装置を備える電子機器の各実施形態を説明する。
【００２９】
＜電気泳動表示装置＞
＜第１実施形態＞
本発明に係る電気泳動表示装置の第１実施形態について、図１乃至図５を参照して説明する。
【００３０】
（電気泳動表示装置の構成）
先ず、本実施形態に係る電気泳動表示装置の全体構成について、図１及び図２を参照して説明する。ここに、図１は、本実施形態に係る電気泳動表示装置の全体構成を示すブロック図である。
【００３１】
図１において、本実施形態に係る電気泳動表示装置１は、表示部３と、コントローラー１０と、走査線駆動回路６０と、データ線駆動回路７０と、対向電極変調回路１５０とを備えている。
【００３２】
表示部３には、ｍ行×ｎ列分の画素２０がマトリックス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３３】
コントローラー１０は、走査線駆動回路６０、データ線駆動回路７０及び対向電極変調回路１５０の動作を制御する。コントローラー１０は、例えば、クロック信号、スタートパルス等のタイミング信号を各回路に供給する。
【００３４】
走査線駆動回路６０は、コントローラー１０から供給されるタイミング信号に基づいて、走査線Ｙ１、Ｙ２、…、Ｙｍの各々に走査信号をパルス的に順次供給する。データ線駆動回路７０は、コントローラー１０から供給されるタイミング信号に基づいて、データ線Ｘ１、Ｘ２、…、Ｘｎに画像信号を供給する。画像信号は、高電位レベル（以下「ハイレベル」という。例えば５Ｖ）又は低電位レベル（以下「ローレベル」という。例えば０Ｖ）の２値的なレベルをとる。
【００３５】
対向電極変調回路は、共通電位線９３に共通電位Ｖｃｏｍを供給すると共に、保持容量線１０６に電源電位Ｖｓを供給する。ここで、本実施形態に係る「共通電位線９３」及び「保持容量線１０６」は、本発明に係る「駆動部」の一例を構成する。
【００３６】
尚、コントローラー１０、走査線駆動回路６０、データ線駆動回路７０及び対向電極へ変調回路１５０には、各種の信号が入出力されるが、本実施形態と特に関係のないものについては説明を省略する。
【００３７】
次に、電気泳動表示装置１の画素２０における原理的構成について、図２を参照して説明する。ここに、図２は、本実施形態に係る画素の電気的な構成を示す等価回路図である。
【００３８】
図２において、画素２０は、画素スイッチング用トランジスター２４と、画素電極２１と、共通電極２２と、電気泳動素子２３と、保持容量２７とを備えている。
【００３９】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。
【００４０】
画素スイッチング用トランジスター２４は、データ線駆動回路７０（図１参照）からデータ線５０を介して供給される画像信号を、走査線駆動回路６０（図１参照）から走査線４０を介してパルス的に供給される走査信号に応じたタイミングで、画素電極２１及び保持容量２７に出力する。
【００４１】
画素電極２１には、データ線駆動回路７０からデータ線５０及び画素スイッチング用トランジスター２４を介して、画像信号が供給される。画素電極２１は、電気泳動素子２３を介して共通電極２２と互いに対向するように配置されている。
【００４２】
共通電極２２は、共通電位Ｖｃｏｍが供給される共通電位線９３に電気的に接続されている。
【００４３】
電気泳動素子２３は、電気泳動粒子をそれぞれ含んでなる複数のマイクロカプセルから構成されている。
【００４４】
保持容量２７は、誘電体膜を介して対向配置された一対の電極からなり、一方の電極が、画素電極２１及び画素スイッチング用トランジスター２４に電気的に接続され、他方の電極が保持容量線１０６に電気的に接続されている。保持容量２７によって画像信号を一定期間だけ維持することができる。
【００４５】
（電気泳動表示装置の動作）
次に、電気泳動表示装置１の動作時において表示画像を更新する際の動作について、図３及び図４を参照して説明する。ここに、図３は、本実施形態に係る電気泳動表示装置における書換動作を示す図であり、図４は、本実施形態に係る書換期間において、画素電極及び共通電極に印加される電圧を示すタイミングチャートである。尚、電気泳動粒子は、負に帯電した白い電気泳動粒子と、正に帯電した黒い電気泳動粒子とを含むものとする。また、「白」を「第１階調」、「黒」を「第２階調」とする。
【００４６】
図３（ａ）の状態では、表示部３に、第１画像として、白の背景上に黒で描かれた第１の図形が表示されている。ここで、図３（ａ）において、黒である領域を領域ａ、白である領域を領域ｂとする。尚、第１画像が書き込まれる直前には、表示部３全体が白表示となっている。第１画像が書き込まれる際には、図４に示すように、共通電極２２はローレベルとされる。また、領域ａに対応する画素２０の画素電極２１はハイレベルとされると共に、領域ｂ（後述する領域ｃ含む）に対応する画素２０の画素電極２１はローレベルとされる。
【００４７】
これにより、領域ａにおいてのみ黒い電気泳動粒子が共通電極２２側に移動し、図３（ａ）に示すような第１画像が表示される。第１画像の書き込み後は、共通電極２２及び全ての画素電極２１がローレベルとされることによって表示内容（即ち、第１画像）が保持される（図４における期間（ｉ）参照）。
【００４８】
次に、第１画像から第２画像（後述する図３（ｄ）参照）に表示画像を変更する前に、図３（ｂ）に示すように、領域ａと、領域ｂのうち領域ａに隣接すると共に該領域ａを囲む領域である領域ｃとが白表示にされ第１画像が消去される。この際、共通電極２２及び領域ｂ（領域ｃ含まず）に対応する画素２０の画素電極２１はハイレベルとされる。また、領域ａ及び領域ｃに夫々対応する画素２０の画素電極２１はローレベルとされる（図４における期間（ｉｉ）参照）。これにより、領域ａにおいてのみ黒い電気泳動粒子が画素電極２１側に移動し第１の図形が消去される。
【００４９】
尚、領域ｃの幅（即ち、領域ａの外縁と領域ｃの外縁との間の距離）は、一画素の大きさに対応する幅であることが望ましい。
【００５０】
次に、図３（ｃ）に示すように、表示部３全体が白表示にされる。この際、共通電極２２はハイレベルとされる。他方、全ての画素２０の画素電極２１はローレベルとされる（図４における期間（ｉｉｉ）参照）。
【００５１】
次に、図３（ｄ）に示すように、表示部３に、第２画像として、白の背景上に黒で描かれた第２の図形が表示される。ここで、図３（ｄ）において、黒である領域を領域ｄとする。第２画像が書き込まれる際には、共通電極２２はローレベルとされる。また、領域ｄに対応する画素２０の画素電極２１はハイレベルとされる。尚、表示部３のうち領域ｄ以外の領域に対応する画素２０の画素電極２１はローレベルとされる。これにより、領域ｄにおいてのみ黒い電気泳動粒子が共通電極２２側に移動し、図３（ｄ）に示すような第２画像が表示される。
【００５２】
ここで、本実施形態の比較例に係る電気泳動表示装置の動作時において表示画像を更新する際の動作について、図９及び図１０を参照して説明する。ここに、図９は、図３と同趣旨の、本実施形態の比較例に係る電気泳動表示装置における書換動作を示す図であり、図１０は、本実施形態の比較例に係る書換期間において、画素電極及び共通電極に印加される電圧を電気力線と共に示す図である。
【００５３】
先ず、本実施形態と同様に、比較例に係る電気泳動表示装置の表示部３に、第１画像として、白の背景上に黒で描かれた第１の図形が表示されているとする（図９（ａ）参照）。比較例に係る電気泳動表示装置では、第１の図形を反転消去する際に、共通電極２２がハイレベルとされると共に、領域ａに対応する画素２０の画素電極２１のみローレベルとされる。これにより、領域ａにおいてのみ黒い電気泳動粒子が画素電極２１側に移動する。
【００５４】
しかしながら、図１０に示すように、領域ａの端部に対応する画素２０の画素電極２１ａと、領域ｂの領域ａと隣接する部分に対応する画素２０の画素電極２１ｂとの電位が相互に異なるため、画素電極２１ａ及び画素電極２１ｂ間にも電界が生じてしまう。すると、領域ａの端部に対応する画素２０の少なくとも一部が白表示とならない（即ち、反転されない）。この結果、領域ａと領域ｂとの境界部分に、図９（ｂ）に示すような焼き付きが生じる可能性がある。
【００５５】
しかるに本実施形態に係る電気泳動表示装置１では、上述の如く、第１画像の反転消去時に、領域ａ及び領域ｃに夫々対応する画素２０の画素電極２１がローレベルとされると共に、共通電極２２がハイレベルとされる。この結果、領域ａの端部に対応する画素２０の画素電極と、領域ｃの領域ａと隣接する部分に対応する画素２０の画素電極との電位が等しくなり、領域ａと領域ｃとの境界部分が黒表示となること（即ち、反転されないこと）はない。従って、当該電気泳動表示装置１の表示部３における焼き付きを防止することができる。
【００５６】
尚、図３では、第１の図形が矩形である場合を例として挙げたが、表示部３に表示される図形が、図５に示すようなリング状の場合、画像の反転消去時には、領域ａと、領域ａの外側の縁から該領域ａの側とは反対側（即ち、外側）に所定幅だけずれた輪郭線を有する領域ｃ１と、領域ａの内側の縁から該領域ａの側とは反対側（即ち、中心側）に所定幅だけすれた輪郭線を有する領域ｃ２とに夫々対応する画素２０の画素電極２１がローレベルとされると共に、共通電極２２がハイレベルとされる。ここに、図５は、本実施形態に係る電気泳動表示装置の表示部に表示される画像の一例を示す図である。
【００５７】
尚、本実施形態に係る「領域ａ」及び「領域ｂ」は、夫々、本発明に係る「第２領域」及び「第１領域」の一例であり、本実施形態に係る「領域ｃ」、「領域ｃ１」及び「領域ｃ２」は、本発明に係る「第３領域」の一例である。また、本実施形態に係る「反転消去期間（図４の期間（ｉｉ）参照）」及び「全白消去期間（図４の期間（ｉｉｉ）参照）」は、夫々、本発明に係る「第１期間」及び「第２期間」の一例である。
【００５８】
＜変形例＞
次に、本実施形態の変形例に係る電気泳動表示装置の動作時において表示画像を更新する際の動作について、図６を参照して説明する。ここに、図６は、図４と同趣旨の、本実施形態の変形例に係る書換期間において、画素電極及び共通電極に印加される電圧を示すタイミングチャートである。
【００５９】
本変形例では、反転消去期間（図６の期間（ｉｉ）参照）の後に、全白消去期間（図４の期間（ｉｉｉ）参照）に代えて、比較的短い期間で全白表示と全黒表示とを繰り返し行う消去期間（図６の期間（ｉｉｉ）参照）を設けている。尚、全白表示と全黒表示との繰り返しは、１ミリ秒乃至１０ミリ秒の周期で行うことが望ましい。
【００６０】
比較的短い期間で全白表示と全黒表示とが繰り返されることにより、分散媒体中で電気泳動粒子が比較的よく攪拌されるので、画像消去時の残像や経時的な残像の低減又は軽減を図ることができる。
【００６１】
＜第２実施形態＞
本発明の電気泳動表示装置に係る第２実施形態を、図７及び図８を参照して説明する。第２実施形態では、表示部等の構成が一部異なる以外は、第１実施形態の構成と同様である。よって、第２実施形態について、第１実施形態と重複する説明を省略すると共に、図面上における共通箇所には同一符号を付して示し、基本的に異なる点についてのみ、図７及び図８を参照して説明する。ここに、図７は、図１と同趣旨の、本実施形態に係る電気泳動表示装置の全体構成を示すブロック図であり、図８は、図２と同趣旨の、本実施形態に係る画素の電気的な構成を示す等価回路図である。
【００６２】
（電気泳動表示装置の構成）
図７において、本実施形態に係る電気泳動表示装置２は、表示部３と、走査線駆動回路６０と、データ線駆動回路７０と、コントローラー１０と、電源回路２００とを備えている。
【００６３】
コントローラー１０は、走査線駆動回路６０、データ線駆動回路７０及び電源回路２００の動作を制御する。
【００６４】
電源回路２００は、高電位電源線９１に高電位電源電位Ｖｄｄを供給し、低電位電源線９２に低電位電源電位Ｖｓｓを供給し、共通電位線９３に共通電位Ｖｃｏｍを供給し、第１の制御線９４に第１の電位Ｓ１を供給し、第２の制御線９５に第２の電位Ｓ２を供給する。尚、ここでは図示を省略するが、高電位電源線９１、低電位電源線９２、共通電位線９３、第１の制御線９４及び第２の制御線９５の各々は、電気的なスイッチを介して電源回路２００に電気的に接続されている。
【００６５】
また、各画素２０は、高電位電源線９１、低電位電源線９２、共通電位線９３、第１の制御線９４及び第２の制御線９５に電気的に接続されている。高電位電源線９１、低電位電源線９２、共通電位線９３、第１の制御線９４及び第２の制御線９５は夫々、典型的には図７中に示すように行方向（Ｘ方向）に沿って配列する画素２０からなる画素列毎に、画素列に属する画素２０に共通に配線される。
【００６６】
電源回路２００は、電源部２１０と、共通電位供給回路２２０と、ＤＣ−ＤＣコンバーター２３０と、発振回路２４０とを備えている。
【００６７】
電源部２１０は、１次電池或いは２次電池であり、共通電位供給回路２２０、ＤＣ−ＤＣコンバーター２３０及び発振回路２４０に電力を供給している。電源部２１０は、電源電圧Ｖｄｃ（例えば３Ｖ）を出力する。尚、本実施形態では、電源部２１０は、共通電位供給回路２２０、ＤＣ−ＤＣコンバーター２３０及び発振回路２４０にのみ電力を供給しているが、これに限定されず、他の回路、例えばコントローラー１０等に電力を供給してもよい。
【００６８】
共通電位供給回路２２０は、共通電位線９３にスイッチ９３ｓ（図８参照）を介して電気的に接続されており、ＤＣ−ＤＣコンバーター２３０から印加される電圧に基づいて、共通電位Ｖｃｏｍを出力する。本実施形態では、共通電位供給回路２２０は、第１の制御線９４にスイッチ９４ｓ（図８参照）を介して電気的に接続されており、共通電位Ｖｃｏｍを第１の電位Ｓ１として第１の制御線９４に出力する。尚、本実施形態に係る「高電位電源線９１」、「低電位電源線９２」、「共通電位線９３」、「第１の制御線９４」及び「第２の制御線９５」は、本発明に係る「駆動部」の他の例を構成する。
【００６９】
ＤＣ−ＤＣコンバーター２３０は、高電位電源線９１にスイッチ９１ｓ（図８参照）を介して電気的に接続されており、電源部２１０から印加された電源電圧Ｖｄｃ（例えば３Ｖ）に基づいて、高電位ＶＨ（例えば１２Ｖ）を生成して高電位電源電位Ｖｄｄとして出力する。
【００７０】
発振回路２４０は、例えばリングオシレーター等を含んでなる発振回路であり、ＤＣ−ＤＣコンバーター２３０にクロック信号を供給する。発振回路２４０は、コントローラー１０の制御下で、その出力するクロック信号の周波数を変更可能に構成されている。
【００７１】
また、電源回路２００は、グランドに電気的に接続されることにより低電位ＶＬとされた接地端子（図示省略）を備えており、この接地端子から低電位電源線９２に低電位ＶＬを低電位電源電位Ｖｓｓとして出力している。
【００７２】
尚、本実施形態では、第２の制御線９５は、スイッチ９５ｓ（図８参照）を介して、ＤＣ−ＤＣコンバーター２３０及び上述した接地電位と電気的に接続可能に構成されており、第２の制御線９５には、ＤＣ−ＤＣコンバーター２３０から出力される高電位ＶＨと接地端子から出力される低電位ＶＬとが切り替えられて第２の電位Ｓ２として出力される。
【００７３】
次に、電気泳動表示装置２の画素２０における原理的構成について、図８を参照して説明する。
【００７４】
図８において、画素２０は、画素スイッチング用トランジスター２４と、メモリー回路２５と、スイッチ回路１１０と、画素電極２１と、共通電極２２と、電気泳動素子２３とを備えている。
【００７５】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインがメモリー回路２５の入力端子Ｎ１に電気的に接続されている。画素スイッチング用トランジスター２４は、データ線駆動回路７０（図７参照）からデータ線５０を介して供給される画像信号を、走査線駆動回路６０（図７参照）から走査線４０を介してパルス的に供給される走査信号に応じたタイミングで、メモリー回路２５の入力端子Ｎ１に出力する。
【００７６】
メモリー回路２５は、インバータ回路２５ａ及び２５ｂを有しており、ＳＲＡＭ（Ｓｔａｔｉｃ  Ｒａｎｄｏｍ  Ａｃｃｅｓｓ  Ｍｅｍｏｒｙ）として構成されている。
【００７７】
インバータ回路２５ａ及び２５ｂは、互いの入力端子に他方の出力端子が電気的に接続されたループ構造を有している。即ち、インバータ回路２５ａの入力端子とインバータ回路２５ｂの出力端子とが互いに電気的に接続され、インバータ回路２５ｂの入力端子とインバータ回路２５ａの出力端子とが互いに電気的に接続されている。インバータ回路２５ａの入力端子が、メモリー回路２５の入力端子Ｎ１として構成されており、インバータ回路２５ａの出力端子が、メモリー回路２５の出力端子Ｎ２として構成されている。
【００７８】
インバータ回路２５ａは、Ｎ型トランジスター２５ａ１及びＰ型トランジスター２５ａ２を有している。Ｎ型トランジスター２５ａ１及びＰ型トランジスター２５ａ２のゲートは、メモリー回路２５の入力端子Ｎ１に電気的に接続されている。Ｎ型トランジスター２５ａ１のソースは、低電位電源電位Ｖｓｓが供給される低電位電源線９２に電気的に接続されている。Ｐ型トランジスター２５ａ２のソースは、高電位電源電位Ｖｄｄが供給される高電位電源線９１に電気的に接続されている。Ｎ型トランジスター２５ａ１及びＰ型トランジスター２５ａ２のドレインは、メモリー回路２５の出力端子Ｎ２に電気的に接続されている。
【００７９】
インバータ回路２５ｂは、Ｎ型トランジスター２５ｂ１及びＰ型トランジスター２５ｂ２を有している。Ｎ型トランジスター２５ｂ１及びＰ型トランジスター２５ｂ２のゲートは、メモリー回路２５の出力端子Ｎ２に電気的に接続されている。Ｎ型トランジスター２５ｂ１のソースは、低電位電源電位Ｖｓｓが供給される低電位電源線９２に電気的に接続されている。Ｐ型トランジスター２５ｂ２のソースは、高電位電源電位Ｖｄｄが供給される高電位電源線９１に電気的に接続されている。Ｎ型トランジスター２５ｂ１及びＰ型トランジスター２５ｂ２のドレインは、メモリー回路２５の入力端子Ｎ１に電気的に接続されている。
【００８０】
メモリー回路２５は、その入力端子Ｎ１にハイレベルの画像信号が入力されると、その出力端子Ｎ２から低電位電源電位Ｖｓｓを出力し、その入力端子Ｎ１にローレベルの画像信号が入力されると、その出力端子Ｎ２から高電位電源電位Ｖｄｄを出力する。即ち、メモリー回路２５は、入力された画像信号がハイレベルであるかローレベルであるかに応じて、低電位電源電位Ｖｓｓ又は高電位電源電位Ｖｄｄを出力する。言い換えれば、メモリー回路２５は、入力された画像信号を、低電位電源電位Ｖｓｓ又は高電位電源電位Ｖｄｄとして記憶可能に構成されている。
【００８１】
スイッチ回路１１０は、第１のトランスミッションゲート１１１及び第２のトランスミッションゲート１１２を備えている。
【００８２】
第１のトランスミッションゲート１１１は、Ｐ型トランジスター１１１ｐ及びＮ型トランジスター１１１ｎを備えている。Ｐ型トランジスター１１１ｐ及びＮ型トランジスター１１１ｎのソースは、第１の制御線９４に電気的に接続されている。Ｐ型トランジスター１１１ｐ及びＮ型トランジスター１１１ｎのドレインは、画素電極２１に電気的に接続されている。Ｐ型トランジスター１１１ｐのゲートは、メモリー回路２５の入力端子Ｎ１に電気的に接続されており、Ｎ型トランジスター１１１ｎのゲートは、メモリー回路２５の出力端子Ｎ２に電気的に接続されている。
【００８３】
第２のトランスミッションゲート１１２は、Ｐ型トランジスター１１２ｐ及びＮ型トランジスター１１２ｎを備えている。Ｐ型トランジスター１１２ｐ及びＮ型トランジスター１１２ｎのソースは、第２の制御線９５に電気的に接続されている。Ｐ型トランジスター１１２ｐ及びＮ型トランジスター１１２ｎのドレインは、画素電極２１に電気的に接続されている。Ｐ型トランジスター１１２ｐのゲートは、メモリー回路２５の出力端子Ｎ２に電気的に接続されており、Ｎ型トランジスター１１２ｎのゲートは、メモリー回路２５の入力端子Ｎ１に電気的に接続されている。
【００８４】
スイッチ回路１１０は、メモリー回路２５に入力される画像信号に応じて、第１の制御線９４及び第２の制御線９５のいずれか一方の制御線を択一的に選択して、その一方の制御線を画素電極２１に電気的に接続する。
【００８５】
具体的には、メモリー回路２５の入力端子Ｎ１にハイレベルの画像信号が入力されると、メモリー回路２５からＮ型トランジスター１１１ｎ及びＰ型トランジスター１１２ｐのゲートに低電位電源電位Ｖｓｓが出力されると共に、Ｐ型トランジスター１１１ｐ及びＮ型トランジスター１１２ｎのゲートに高電位電源電位Ｖｄｄが出力されることにより、第２のトランスミッションゲート１１２を構成するＰ型トランジスター１１２ｐ及びＮ型トランジスター１１２ｎのみがオン状態となり、第１のトランスミッションゲート１１１を構成するＰ型トランジスター１１１ｐ及びＮ型トランジスター１１１ｎはオフ状態となる。
【００８６】
一方、メモリー回路２５の入力端子Ｎ１にローレベルの画像信号が入力されると、メモリー回路２５からＮ型トランジスター１１１ｎ及びＰ型トランジスター１１２ｐのゲートに高電位電源電位Ｖｄｄが出力されると共に、Ｐ型トランジスター１１１ｐ及びＮ型トランジスター１１２ｎのゲートに低電位電源電位Ｖｓｓが出力されることにより、第１のトランスミッションゲート１１１を構成するＰ型トランジスター１１１ｐ及びＮ型トランジスター１１１ｎのみがオン状態となり、第２のトランスミッションゲート１１２を構成するＰ型トランジスター１１２ｐ及びＮ型トランジスター１１２ｎはオフ状態となる。つまり、メモリー回路２５の入力端子Ｎ１にハイレベルの画像信号が入力された場合には、第２のトランスミッションゲート１１２のみがオン状態となり、一方、メモリー回路２５の入力端子Ｎ１にローレベルの画像信号が入力された場合には、第１のトランスミッションゲート１１１のみがオン状態となる。
【００８７】
複数の画素２０の各々の画素電極２１は、スイッチ回路１１０によって画像信号に応じて択一的に選択された第１の制御線９４又は第２の制御線９５に電気的に接続される。その際、複数の画素２０の各々の画素電極２１は、スイッチ９４ｓ又は９５ｓのオンオフ状態に応じて、第１の電位Ｓ１又は第２の電位Ｓ２が供給される、或いはハイインピーダンス状態とされる。
【００８８】
より具体的には、ローレベルの画像信号が供給される画素２０については、第１のトランスミッションゲート１１１のみがオン状態となり、その画素２０の画素電極２１は、第１の制御線９４に電気的に接続され、スイッチ９４ｓのオンオフ状態に応じて電源回路２００から第１の電位Ｓ１が供給され、又は、ハイインピーダンス状態とされる。一方、ハイレベルの画像信号が供給される画素２０については、第２のトランスミッションゲート１１２のみがオン状態となり、その画素２０の画素電極２１は、第２の制御線９５に電気的に接続され、スイッチ９５ｓのオンオフ状態に応じて電源回路２００から第２の電位Ｓ２が供給され、又は、ハイインピーダンス状態とされる。
【００８９】
画素電極２１は、電気泳動素子２３を介して共通電極２２と互いに対向するように配置されている。共通電極２２は、共通電位Ｖｃｏｍが供給される共通電位線９３に電気的に接続されている。
【００９０】
＜電子機器＞
次に、上述した電気泳動表示装置を適用した電子機器について、図１１及び図１２を参照して説明する。以下では、上述した電気泳動表示装置を電子ペーパー及び電子ノートに適用した場合を例にとる。
【００９１】
図１１は、電子ペーパー１４００の構成を示す斜視図である。
【００９２】
図１１に示すように、電子ペーパー１４００は、上述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【００９３】
図１２は、電子ノート１５００の構成を示す斜視図である。
【００９４】
図１２に示すように、電子ノート１５００は、図１１で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００９５】
上述した電子ペーパー１４００及び電子ノート１５００は、上述した実施形態に係る電気泳動表示装置を備えるので、表示部の焼き付きを防止して、高品質な画像表示を行うことが可能である。
【００９６】
尚、これらの他に、腕時計、携帯電話、携帯用オーディオ機器などの電子機器の表示部に、上述した本実施形態に係る電気泳動表示装置を適用することができる。
【００９７】
本発明は、上述した実施形態に限られるものではなく、請求の範囲及び明細書全体から読み取れる発明の要旨或いは思想に反しない範囲で適宜変更可能であり、そのような変更を伴う電気泳動表示装置及び電子機器もまた本発明の技術的範囲に含まれるものである。
【符号の説明】
【００９８】
１、２…電気泳動表示装置、３…表示部、１０…コントローラー、２０…画素、２１…画素電極、２２…共通電極、２３…電気泳動素子
【図１】
2010211033.tif 000003
【図２】
2010211033.tif 000004
【図３】
2010211033.tif 000005
【図４】
2010211033.tif 000006
【図５】
2010211033.tif 000007
【図６】
2010211033.tif 000008
【図７】
2010211033.tif 000009
【図８】
2010211033.tif 000010
【図９】
2010211033.tif 000011
【図１０】
2010211033.tif 000012
【図１１】
2010211033.tif 000013
【図１２】
2010211033.tif 000014